(57)【要約】  カードリーダ（１）は、磁気カード（２１）が挿入される挿入口（２２）と、この挿入口（２２）の付近に設けられ、磁気カード（２１）に記録されたデータが不正に読み取られるのを妨害するための妨害磁界を発生する磁界発生部（８）と、この磁界発生部（８）を制御する磁界制御部（９）とを備える。磁界制御部（９）は、磁界発生部（８）が発生した妨害磁界の変化を検出し、当該検出結果に基づいて、挿入口（２２）の付近に設置された金属体を検出する。このようにすれば、スキマー（不正読取装置）を検出するための専用のセンサを設けなくても、妨害磁界の変化を検出することで、金属体を構成要素とするスキマーの検出が可能となる。
2013030877.tif 000002
【特許請求の範囲】
【請求項１】
磁気記録媒体が挿入される挿入口と、
前記挿入口付近に設けられ、前記磁気記録媒体に記録されたデータが不正に読み取られるのを妨害するための妨害磁界を発生する磁界発生部と、
前記磁界発生部を制御する制御手段と、を備えた磁気記録媒体読取装置において、
前記制御手段は、前記磁界発生部が発生した妨害磁界の変化を検出し、当該検出結果に基づいて、前記挿入口付近に設置された金属体を検出することを特徴とする磁気記録媒体読取装置。
【請求項２】
請求項１に記載の磁気記録媒体読取装置において、
前記磁界発生部は、前記妨害磁界を発生するループアンテナを含む発振回路を備えていることを特徴とする磁気記録媒体読取装置。
【請求項３】
請求項２に記載の磁気記録媒体読取装置において、
前記発振回路の発振周波数は、第１の周波数であり、
前記制御手段は、前記第１の周波数よりも低い第２の周波数の制御信号を前記磁界発生部へ出力し、
前記発振回路は、前記制御信号に基づいて発振動作を行うことを特徴とする磁気記録媒体読取装置。
【請求項４】
請求項３に記載の磁気記録媒体読取装置において、
前記制御信号が矩形波信号であることを特徴とする磁気記録媒体読取装置。
【請求項５】
請求項４に記載の磁気記録媒体読取装置において、
前記矩形波信号の周波数が時間帯によって変化することを特徴とする磁気記録媒体読取装置。
【請求項６】
請求項４に記載の磁気記録媒体読取装置において、
前記矩形波信号の周波数がランダムに変化することを特徴とする磁気記録媒体読取装置。
【請求項７】
請求項１に記載の磁気記録媒体読取装置において、
前記妨害磁界の周波数領域が１００Ｈｚ〜２０ＫＨｚであることを特徴とする磁気記録媒体読取装置。
【請求項８】
請求項２に記載の磁気記録媒体読取装置において、
前記発振回路の発振周波数を切り替える切替手段を設けたことを特徴とする磁気記録媒体読取装置。
【請求項９】
請求項８に記載の磁気記録媒体読取装置において、
前記切替手段は、前記妨害磁界が変化し始めたことを前記制御手段が検知した時点で、前記発振周波数を切り替えることを特徴とする磁気記録媒体読取装置。
【請求項１０】
請求項８に記載の磁気記録媒体読取装置において、
前記切替手段は、一定時間ごとに前記発振周波数を切り替えることを特徴とする磁気記録媒体読取装置。
【請求項１１】
請求項１に記載の磁気記録媒体読取装置において、
前記制御手段は、前記妨害磁界の変化した状態が所定時間継続したか否かを判定し、当該状態が所定時間継続した場合に、前記金属体が設置されたと判定するとともに、当該金属体の設置を上位装置へ通知することを特徴とする磁気記録媒体読取装置。
【請求項１２】
請求項２に記載の磁気記録媒体読取装置において、
前記発振回路の出力の振幅を一定にするための調整手段を設けたことを特徴とする磁気記録媒体読取装置。
【発明の詳細な説明】
【技術分野】
【０００１】
本発明は、磁気記録媒体に記録されたデータを読み取る装置に関し、特に、データの不正取得を防止する機能を備えた磁気記録媒体読取装置に関する。
【背景技術】
【０００２】
ＡＴＭ（Automated  Teller  Machine：現金自動預け払機）やＣＤ（Cash  Dispenser：現金自動支払機）などの取引処理装置には、磁気カードを読み取るカードリーダが搭載されている。このような取引処理装置において、最近では、磁気カードがカードリーダに挿入される際に、カードの磁気ストライプに記録されたデータを不正に取得するスキミングと呼ばれる犯罪が発生している。【０００３】
典型的なスキミングの例として、磁気ヘッドを備えた不正読取装置（以下、「スキマー（Skimmer）」という。）を、ＡＴＭやＣＤに備わるカードリーダのカード挿入口の付近に設置し、このスキマーの磁気ヘッドにより、カードリーダに挿入される磁気カードのデータを不正に取得する方法がある。【０００４】
上記のようなスキミングに対しては、これまでにも種々の対策が提案されている。例えば、後掲の特許文献１には、カード挿入口の近傍に妨害磁界発生器を設けたカードリーダが記載されている。このカードリーダにおいては、妨害磁界発生器により、カード挿入口の外側領域に妨害磁界が発生する。このため、カード挿入口の外側にスキマーが取り付けられたとしても、スキマーの磁気ヘッドで読み取ったデータは、妨害磁界の影響を受けて、カードに記録された元のデータとは異なるデータとなる。これにより、カードのデータが不正に取得されるのを防止することができる。【０００５】
また、後掲の特許文献２には、カード挿入口の周囲に、妨害磁界を発生させるためのループアンテナを配設したカードリーダが記載されている。ループアンテナのアンテナ面は、カード挿入口の前面と平行になっている。このカードリーダにおいても、カード挿入口の外側領域に妨害磁界が発生するので、カード挿入口の外側にスキマーが取り付けられたとしても、カードのデータが不正に取得されるのを防止することができる。
【先行技術文献】
【特許文献】
【０００６】
【特許文献１】ＷＯ２００７／０４８６４９号公報
【特許文献２】特許第４４２５６７４号公報
【発明の概要】
【発明が解決しようとする課題】
【０００７】
カードリーダにおいて、カード挿入口付近にスキマーが設置されたことを検出するには、スキマーを構成する金属体を検出するためのセンサが必要となる。特許文献１のカードリーダでは、妨害磁界発生器とは別に、金属体検出用のセンサが設けられている。しかしながら、このような構成では、専用のセンサが必要となるため、部品点数が増えてコスト高になるとともに、装置の小型化の障害になるという問題がある。【０００８】
そこで、本発明の目的は、専用のセンサを設けなくても、金属体を検出することが可能な磁気記録媒体読取装置を提供することにある。
【課題を解決するための手段】
【０００９】
本発明に係る磁気記録媒体読取装置は、磁気記録媒体が挿入される挿入口と、この挿入口付近に設けられ、磁気記録媒体に記録されたデータが不正に読み取られるのを妨害するための妨害磁界を発生する磁界発生部と、この磁界発生部を制御する制御手段とを備える。制御手段は、磁界発生部が発生した妨害磁界の変化を検出し、当該検出結果に基づいて、挿入口付近に設置された金属体を検出する。【００１０】
このようにすれば、専用のセンサを設けなくても、妨害磁界の変化を検出することで、金属体を構成要素とするスキマーの検出が可能となる。すなわち、磁界発生部の発生する妨害磁界により、磁気記録媒体のデータがスキマーにより読み取られるのを阻止しつつ、この妨害磁界を利用して、スキマーを検出することができる。【００１１】
本発明において、磁界発生部は、妨害磁界を発生するループアンテナを含む発振回路を備えていてもよい。【００１２】
本発明において、発振回路の発振周波数は、第１の周波数であり、制御手段は、第１の周波数よりも低い第２の周波数の制御信号を磁界発生部へ出力し、発振回路は、この制御信号に基づいて発振動作を行うようにしてもよい。【００１３】
上記の制御信号は、矩形波信号であってもよい。この場合、矩形波信号の周波数が時間帯によって変化するようにしてもよい。また、矩形波信号の周波数がランダムに変化するようにしてもよい。【００１４】
本発明において、妨害磁界の周波数領域は、１００Ｈｚ〜２０ＫＨｚであることが好ましい。【００１５】
本発明において、発振回路の発振周波数を切り替える切替手段を設けてもよい。この場合、切替手段は、妨害磁界が変化し始めたことを制御手段が検知した時点で、発振周波数を切り替えるようにしてもよい。また、切替手段は、一定時間ごとに発振周波数を切り替えるようにしてもよい。【００１６】
本発明において、制御手段は、妨害磁界の変化した状態が所定時間継続したか否かを判定し、当該状態が所定時間継続した場合に、金属体が設置されたと判定するとともに、金属体の設置を上位装置へ通知するようにしてもよい。【００１７】
本発明において、発振回路の出力の振幅を一定にするための調整手段を設けてもよい。
【発明の効果】
【００１８】
本発明によれば、妨害磁界により、磁気記録媒体のデータがスキマーで読み取られるのを阻止しつつ、この妨害磁界を利用して、スキマーを検出することができる。このため、専用のセンサが不要となり、コストダウンと小型化が可能となる。
【図面の簡単な説明】
【００１９】
【図１】図１は、本発明の実施形態に係るカードリーダの電気的構成を示したブロック図である。
【図２】図２は、同カードリーダの側面断面図および正面図である。
【図３】図３は、ループアンテナの他の例を示した正面図である。
【図４】図４は、磁気カードの平面図である。
【図５】図５は、磁界発生部と磁界制御部のそれぞれの具体的構成を示したブロック図である。
【図６】図６は、挿入口付近にスキマーが設置された状態を示した図である。
【図７】図７は、金属体を検出する原理を説明するための波形図である。
【図８】図８は、妨害磁界の周波数スペクトルを示した図である。
【図９】図９は、妨害磁界の周波数スペクトルの他の例を示した図である。
【図１０】図１０は、他の実施形態を示したブロック図である。
【図１１】図１１は、金属体が存在しないときの発振出力およびフィルタ出力の波形図である。
【図１２】図１２は、金属体が存在するときの発振出力およびフィルタ出力の波形図である。
【図１３】図１３は、周波数切替を説明するための波形図である。
【図１４】図１４は、周波数切替の他の例を説明するための波形図である。
【図１５】図１５は、スキマー以外の金属体により発振出力が変化する場合の波形図である。
【図１６】図１６は、スキマーにより発振出力が変化する場合の波形図である。
【図１７】図１７は、ループアンテナにコアを配置した場合の側面断面図および正面図である。
【発明を実施するための形態】
【００２０】
以下、本発明の実施形態について、図面を参照しながら説明する。各図において、同一符号は、同一部分または対応部分を表している。
【００２１】
まず、図１および図２を参照して、カードリーダの構成について説明する。
【００２２】
図１に示すように、本実施形態によるカードリーダ１は、装置全体の動作を制御するＣＰＵ２と、磁気カードに記録されている磁気データを読み取る磁気情報読取部３と、磁気カードを搬送するカード搬送部４と、磁気カードを検出するカード検出センサ５と、磁気情報読取部３で読み取った磁気データを記憶するメモリ６と、上位装置２００（例えばＡＴＭ）との接続部であるホストインターフェース７と、磁気カードの磁気ストライプを検出する磁気ストライプ検出部１０と、磁気ストライプに記録されたデータの読み取りを妨げるための妨害磁界を発生する磁界発生部８とを備えている。
【００２３】
ＣＰＵ２は、磁界発生部８を制御する磁界制御部９と、カード搬送部４を制御するカード搬送制御部１２とを含む。磁気ストライプ検出部１０および磁界発生部８は、カード挿入口ユニット２４内に設置されている。磁気ストライプ検出部１０は、後述する磁気ヘッド３４（図２）を含む。磁界発生部８および磁界制御部９の詳細については、後述する。
【００２４】
図２（ａ）に示すように、カードリーダ１の筐体１００の前面には、カード挿入口ユニット２４が設けられている。カード挿入口ユニット２４には、磁気カード（以下、単に「カード」という。）２１が挿入される挿入口２２が形成されている。カード２１は、図４に示すように、磁気ストライプ２１ａを有している。図４は、カード２１を裏面から見た図である。挿入口２２の近くには、挿入されたカード２１を検出するカード挿入検出センサ２３が設けられている。このカード挿入検出センサ２３は、例えばマイクロスイッチからなり、挿入口２２から挿入されたカード２１によって押圧される位置に配置されている。また、挿入口２２の近くには、磁気ストライプ検出用の磁気ヘッド３４が設けられている。この磁気ヘッド３４は、カード２１の磁気ストライプ２１ａを検出する。
【００２５】
カードリーダ１の筐体１００の内部には、搬送ローラ２５〜２８、カード位置検出センサ３０〜３３、磁気ヘッド２９が設けられている。搬送ローラ２５〜２８は、それぞれ搬送路Ｐを挟んで１対設けられており、１対のローラでカード２１を挟持して搬送する。これらの搬送ローラ２５〜２８は、搬送ベルト（図示省略）を介して、モータ（図示省略）に連結されている。１対の搬送ローラのうち、一方はモータの回転力が伝達される駆動ローラであり、他方はこの駆動ローラに従動して回転する従動ローラである。搬送ローラ２５〜２８は、上記の搬送ベルトおよびモータとともに、カード搬送部４（図１）を構成する。
【００２６】
カード位置検出センサ３０〜３３は、透過型の光センサであり、それぞれ、搬送路Ｐを挟んで対向する発光部と受光部を有している。これらのセンサ３０〜３３の配置間隔は、磁気カード２１の搬送方向の長さよりも短くなっている。センサ３０は、挿入口２２に最も近い搬送ローラ２５にカード２１が挟持されたことを検出する。センサ３３は、挿入されたカード２１が、カードを一時的に貯留する貯留部（図示省略）に達したことを検出する。センサ３１、３２は、搬送中のカード２１の位置を検出する。これらのカード位置検出センサ３０〜３３は、前記のカード挿入検出センサ２３とともに、カード検出センサ５（図１）を構成する。
【００２７】
磁気ヘッド２９は、搬送ローラ２６と搬送ローラ２７との間で、搬送路Ｐの下側に設けられている。この磁気ヘッド２９は、挿入されたカード２１が搬送路Ｐを搬送される過程で、カード２１の磁気ストライプ２１ａに記録されているデータを読み取る。前述の磁気ヘッド３４が、磁気ストライプに記録されているデータの有無を検出するための磁気ヘッドであるのに対し、磁気ヘッド２９は、磁気ストライプに記録されているデータそのものを再生するための磁気ヘッドである。磁気ヘッド２９とセンサ３３との間隔は、カード２１の搬送方向の長さよりも少し長くなっている。したがって、カード２１が貯留部に達した際、すなわち、カード２１の先端がセンサ３３の位置に達した際には、磁気ヘッド２９は、カード２１に記録されているデータの読み取りを完了している。
【００２８】
カード挿入口ユニット２４の前面近傍には、ループアンテナ３５が設けられている。図２（ａ）からわかるように、ループアンテナ３５は、挿入口２２付近において、カード２１の挿入方向Ａに対して、磁気ストライプ検出用の磁気ヘッド３４よりも挿入口２２側に設けられている。このループアンテナ３５は、導体を１回または複数回ループ状に巻いたアンテナであり、図２（ｂ）に示すように、挿入口２２を囲むように配置される。
【００２９】
ループアンテナ３５に駆動電流が流れると、ループアンテナ３５は、挿入口２２付近に磁界を発生させる。本実施形態では、ループアンテナ３５に継続して駆動電流を流すことで、ループアンテナ３５は常時磁界を発生している。この磁界は、挿入口２２の前方に妨害磁界として作用し、図６に示すように、挿入口２２の前方にスキマー３００が取り付けられた場合に、スキマー３００による磁気情報の読み取りを妨害する。また、この磁界は、挿入口２２の後方にある磁気ストライプ検出用の磁気ヘッド３４にも妨害磁界として作用し、磁気ヘッド３４における磁気情報の不正な読み取りを妨害する。
【００３０】
なお、図２（ｂ）に示したループアンテナ３５に代えて、図３（ａ）に示すように、２つの独立したループアンテナ３５ａ，３５ｂを、挿入口２２の両側に配置してもよい。あるいは、図３（ｂ）に示すように、１つのループアンテナ３５ｃを、磁気ストライプ検出用の磁気ヘッド３４（図２（ａ））付近にのみ配置してもよい。
【００３１】
図５は、磁界発生部８と磁界制御部９の具体的構成を示している。磁界発生部８は、発振回路８１と、混合器８２と、電源８３とを備えている。発振回路８１は、上述したループアンテナ３５と図示しないコンデンサとを含む、公知のＬＣ発振回路から構成されている。混合器８２は、リレーやトランジスタなどのスイッチング素子を含むスイッチング回路から構成されている。電源８３は、混合器８２を介して、発振回路８１に直流電圧を供給する。
【００３２】
磁界制御部９は、コントローラ９１と、フィルタ回路９２と、Ａ／Ｄ変換器９３と、調整回路９４と、電源９５とを備えており、本発明における「制御手段」を構成している。フィルタ回路９２には、発振回路８１の出力電圧（以下、「発振出力」という。）が入力される。この発振出力は、妨害磁界の強度を表している。フィルタ回路９２は、発振出力を平滑化する。Ａ／Ｄ変換器９３は、フィルタ回路９２の出力電圧（以下、「フィルタ出力」という。）をサンプリングして、デジタル値に変換する。Ａ／Ｄ変換器９３の出力は、コントローラ９１に入力される。電源９５は、コントローラ９１に直流電圧を供給する。
【００３３】
コントローラ９１は、Ａ／Ｄ変換器９３の出力から得られる妨害磁界の強度に基づいてフィードバック制御を行い、発振回路８１の出力の振幅を一定にするための指令信号を調整回路９４に与える。調整回路９４は、この指令信号を受けて、電源８３の電圧を調整する。コントローラ９１および調整回路９４によって、本発明における「調整手段」が構成される。
【００３４】
また、コントローラ９１は、図７（ｃ）に示すような矩形波信号を、制御信号として混合器８２へ与える。混合器８２を構成するスイッチング素子は、この矩形波信号に同期してＯＮ・ＯＦＦ動作を行う。スイッチング素子がＯＮの間は、発振回路８１のコンデンサが電源８３により充電される。スイッチング素子がＯＦＦすると、コンデンサの充電電荷がコイル（ループアンテナ３５）を通して放電し、発振回路８１が発振する。すなわち、矩形波信号によって、発振回路８１の発振動作が制御される。この結果、発振回路８１は、図７（ａ）に示すような、矩形波信号によって変調された発振出力を生じる。この発振出力は、フィルタ回路９２で平滑化され、フィルタ回路９２から、図７（ｂ）に示すようなフィルタ出力（直流電圧）が得られる。
【００３５】
次に、以上の構成からなるカードリーダ１におけるスキミング対策について説明する。
【００３６】
発振回路８１が図７（ａ）の発振出力を生じると、ループアンテナ３５には、発振出力に応じた駆動電流が流れる。これにより、ループアンテナ３５から、駆動電流に応じた妨害磁界が発生する。この妨害磁界は、挿入口２２の前方と後方に作用する。また、前述したように、この妨害磁界は、ループアンテナ３５から常時発生している。
【００３７】
したがって、図６に示したように、磁気ヘッドを備えたスキマー３００が挿入口２２の前方に取り付けられた場合、スキマー３００に必ず妨害磁界が作用することになる。このため、スキマー３００の磁気ヘッドで読み取ったデータは、妨害磁界の影響を受けて、カード２１に記録された元のデータとは異なるデータとなる。これにより、カード２１のデータが不正に取得されるのを防止することができる。
【００３８】
また、妨害磁界は、ループアンテナ３５の後方にある磁気ストライプ検出用の磁気ヘッド３４にも常時作用する。このため、磁気ヘッド３４からリード線を介してデータを不正に取得することも不可能となる。なお、妨害磁界が常時磁気ヘッド３４に作用しても、磁気ヘッド３４は磁気データそのものを再生する必要はないので、例えば、磁気ストライプ２１ａの検出の前後で検出信号のパターンが異なることを利用して、磁気ストライプ２１ａを検出することができる。
【００３９】
さらに、ループアンテナ３５から発生する妨害磁界は、スキマー３００の検出にも利用される。これにつき、図７を参照して説明する。図７（ａ）に示すように、発振回路８１の発振出力の振幅は、ループアンテナ３５の付近に金属体がある場合とない場合とで異なる。すなわち、ループアンテナ３５の付近に金属体がない場合は、発振出力の振幅は大きく、金属体がある場合は、発振出力の振幅は小さくなる。これに応じて、図７（ｂ）に示すように、フィルタ回路９２の出力も、金属体がない場合は大きく、金属体がある場合は小さくなる。
【００４０】
そして、一般に、スキマー３００は構成要素として金属体を有しており、また、スキマー３００に妨害磁界を遮蔽するための遮蔽物が付設される場合も、当該遮蔽物は金属体から構成される。したがって、スキマー３００が設置されると、発振出力の振幅は小さくなるので、この振幅の変化を検出することで、スキマー３００を検出することができる。具体的には、例えば、図７（ｂ）のフィルタ出力に対して閾値を設定し、フィルタ出力が閾値以下となったときに、コントローラ９１は、スキマー３００が設置されたと判定する。
【００４１】
コントローラ９１は、スキマー３００が設置されたと判定した場合に、その設置を、ホストインターフェース７（図１）を介して上位装置２００へ通知する。上位装置２００では、この通知を受けて、警報を出力するなどの処理を行う。
【００４２】
このように、本実施形態においては、ループアンテナ３５が発生した妨害磁界の振幅の変化を検出し、その検出結果に基づいて、スキマー３００を検出するようにしている。このため、１つのループアンテナ３５によって、カード２１のデータがスキミングにより不正取得されるのを阻止しつつ、スキマー３００を検出することができる。これにより、スキマー検出用の専用のセンサが不要となり、コストダウンと小型化が可能となる。
【００４３】
また、本実施形態においては、コントローラ９１が発振回路８１の発振動作を制御する矩形波信号を出力するとともに、同じコントローラ９１において、発振出力の変化を検出するようにしている。このため、コントローラ９１は、矩形波信号を基準として、フィルタ出力のレベルを常に正しく把握することができ、スキマー３００の検出精度が向上する。
【００４４】
さらに、調整回路９４を設けて、発振回路８１の出力の振幅が一定に維持されるようにしているので、スキマー３００の検出を安定して精度良く行うことが可能となる。
【００４５】
なお、上記の例では、妨害磁界の振幅の変化を検出したが、金属体の材質によっては、ループアンテナ３５の付近に金属体がある場合とない場合とで、妨害磁界の周波数が異なるので、妨害磁界の周波数の変化に基づいて、スキマー３００を検出するようにしてもよい。また、振幅の変化と周波数の変化の両方に基づいて、スキマー３００を検出するようにしてもよい。
【００４６】
また、本実施形態においては、発振回路８１の発振出力、換言すれば妨害磁界の強度は、前述のように矩形波信号で変調された信号となるので、図８に示すように、複数の周波数に対してピークを持つ。特に、矩形波信号を用いていることから、矩形波信号の高調波成分に対応した様々な周波数において、ピークが存在する。このため、様々な速度でカード２１が挿入されても、スキマー３００の磁気ヘッドから出力される信号の周波数が、妨害磁界の周波数と重なる確率が高くなるので、スキミングを効果的に防止することができる。
【００４７】
ところで、本実施形態では、発振回路８１の発振周波数をｆ１（第１の周波数）とし、コントローラ９１から出力される矩形波信号の周波数をｆ２（第２の周波数）としたとき、ｆ１＞ｆ２の関係にある。また、図７（ｃ）に示すように、矩形波信号の周期をＴとすると、ｆ２＝１／Ｔである。そして、図８の場合は、矩形波信号の周波数ｆ２が一定であって、磁界強度のピークを生じる周波数（以下、「ピーク周波数」という。）の間隔は、均等にｆ２となる。
【００４８】
一方、矩形波信号の周波数がｆ２より大きくなると、ピーク周波数の間隔もｆ２より大きくなり、矩形波信号の周波数がｆ２より小さくなると、ピーク周波数の間隔もｆ２より小さくなる。したがって、矩形波信号の周波数を時間帯によって変化させることで、図９に示すように、さらに多くのピーク周波数が得られる。図９の実線、破線、一点鎖線は、それぞれ異なる時間帯におけるピーク周波数を表している。このようにすることで、妨害磁界は広い周波数領域をカバーできるので、様々な速度で挿入されるカード２１に対して、スキミングをより確実に防止することができる。
【００４９】
また、矩形波信号の周波数をランダムに変化させてもよい。この場合は、ピーク周波数もランダムに変化する。このようにすれば、スキマー３００から見て、どのピーク周波数の妨害磁界が生じているのかがわからないので、フィルタリングによって妨害磁界の周波数をカットすることが不可能となる。なお、矩形波信号の周波数をランダムに変化させる代わりに、スキマー３００では判別不可能なパターンに従って、矩形波信号の周波数を規則的に変化させてもよい。
【００５０】
なお、カード２１の読取信号（磁気ヘッドの出力）の周波数が、一般的に１００Ｈｚ〜２０ＫＨｚの範囲にあることを考慮すると、妨害磁界の周波数領域を、上記範囲に合わせて１００Ｈｚ〜２０ＫＨｚとし、この周波数領域内で、できるだけ多くのピーク周波数が存在するようにするのが好ましい。これにより、事実上、カード２１がどのような速度で挿入されても、スキマー３００の出力を妨害磁界で妨害することが可能となる。
【００５１】
図１０は、本発明の他の実施形態を示している。カードリーダの全体構成については、図１および図２と同じであるので、説明を省略する。図１０においては、磁界発生部８に周波数切替部８４が設けられている。この周波数切替部８４は、本発明における「切替手段」を構成している。その他の構成については、図５と同じであるので、図５と重複する部分の説明は省略する。
【００５２】
周波数切替部８４は、コントローラ９１からの指令信号に基づいて、発振回路８１の発振周波数を切り替える。図１１は、この切り替えの様子を示している。図１１（ａ）は発振回路８１の発振出力、図１１（ｂ）はフィルタ回路９２のフィルタ出力である。
【００５３】
図１１（ａ）のように、発振出力の周波数は、時刻ｔで低い周波数から高い周波数に切り替わっている。なお、この発振出力の波形は、ループアンテナ３５の付近に金属体が存在しない場合の波形である。図中のａは、周波数が切り替わった後の発振出力の振幅を表している。一方、ループアンテナ３５の付近に金属体が存在する場合は、発振出力の波形は、図１２（ａ）のようになる。すなわち、時刻ｔで金属体が検出されたと仮定した場合、発振出力の振幅ｂは、金属体が存在しない場合の振幅ａよりも小さくなる。そして、これに応じて、図１２（ｂ）の時刻ｔ以後のフィルタ出力も、図１１（ｂ）の時刻ｔ以後のフィルタ出力に比べて小さくなる。したがって、周波数が切り替わった後のフィルタ出力に対し、閾値を設定することによって、スキマー３００を検出することができる。
【００５４】
一般に、妨害磁界の周波数が高いほど、金属体の検出可能領域が拡大して、検出精度が向上する。一方、スキミングを効果的に防止する点からは、妨害磁界の周波数は、カード２１の挿入速度に合わせて、低いほうがよい。そこで、上記のように周波数切替部８４で妨害磁界の周波数を切り替えることで、低い周波数の妨害磁界により、スキミングを有効に防止できるとともに、高い周波数の妨害磁界により、スキマー３００を精度良く検出することができる。
【００５５】
周波数切替部８４により妨害磁界の周波数を切り替えるタイミングに関しては、いくつかの決定方法がある。例えば、図１３に示す例では、妨害磁界の周波数が低い状態において、妨害磁界の強度（発振出力）が減少し始めたことをコントローラ９１が検知した時点（時刻ｔ）で、コントローラ９１から周波数切替部８４へ指令信号を出力し、この指令信号に基づいて、周波数切替部８４が妨害磁界の周波数を高い周波数に切り替える。そして、スキマー３００が検出されれば、妨害磁界の周波数を再び低い周波数に切り替える。
【００５６】
このようにすると、金属体の設置に起因して妨害磁界が変化し始めた時点で、妨害磁界の周波数が、金属体検出に適した高い周波数に自動的に切り替えられるので、スキマー３００を迅速かつ確実に検出することができる。また、スキマー３００の検出後は、妨害磁界の周波数が、スキミング防止に適した低い周波数に戻るので、スキマー３００によるデータの不正取得を阻止することができる。
【００５７】
また、他の方法として、図１４に示すように、低い周波数の妨害磁界と、高い周波数の妨害磁界とが交互に発生するように、一定時間ごとに発振周波数を切り替えてもよい。
【００５８】
ところで、上述した各実施形態においては、挿入口２２の前方に妨害磁界が発生していることから、カード２１を挿入する際に、手に装着されている指輪や腕時計などが、誤ってスキマー３００の金属体として検出される可能性がある。
【００５９】
しかしながら、指輪や腕時計などは、カード挿入時に一時的にループアンテナ３５に近づくだけであるから、図１５に示すように、発振出力の振幅が小さくなる期間τ１は短時間である。これに対し、スキマー３００は、設置後に継続して存在するから、図１６に示すように、発振出力の振幅が小さくなる期間τ２は長時間に及ぶ。
【００６０】
そこで、コントローラ９１において、発振出力の振幅が小さくなった状態（フィルタ出力が小さくなった状態）、すなわち妨害磁界の変化した状態が所定時間継続したか否かを判定し、当該状態が所定時間継続した場合に、スキマー３００が設置されたと判定することで、指輪や腕時計などによる誤検出を防止することができる。コントローラ９１は、スキマー３００が設置されたと判定した場合に、その設置を、ホストインターフェース７（図１）を介して上位装置２００へ通知する。上位装置２００では、この通知を受けて、警報を出力するなどの処理を行う。
【００６１】
以上の実施形態においては、カード２１が挿入される場合のスキミング対策について述べたが、ループアンテナ３５から妨害磁界が常時発生していることから、カード２１が返却される場合にも、スキミングを防止することができる。
【００６２】
また、以上の実施形態では、スキマーの検出を例に挙げたが、本発明によれば、スキマー以外の金属体異物を検出することも可能である。
【００６３】
本発明は、上述した実施形態の他にも、種々の実施形態を採用することができる。例えば、前記の実施形態では、図２や図３のループアンテナを例に挙げたが、ループアンテナはこれらに限定されるものではない。例えば、ループアンテナを３つ以上設けてもよい。この場合は、より強い妨害磁界が発生するので、スキミングを一層効果的に防止することができる。
【００６４】
また、図１７に示すように、ループアンテナ３５に、透磁率の高いフェライト、鉄、珪素鋼板等のコア３６を配置することで、磁界に指向性を持たせたり、より強い妨害磁界を発生させたりすることができる。これにより、挿入口２２の前方に取り付けられたスキマー３００に対しては、遠くまで強い妨害磁界を発生させ、かつ、挿入口２２の後方にある磁気データ読取用の磁気ヘッド２９に対しては、妨害磁界の影響をなくすことができる。
【００６５】
また、前記の実施形態では、ループアンテナ３５から妨害磁界が常時発生している例を挙げたが、妨害磁界に一定の休止時間を設けてもよい。
【００６６】
また、前記の実施形態では、磁気記録媒体として、裏面に磁気ストライプのある磁気カードを例に挙げた。しかしながら、本発明は、磁気ストライプが表面もしくは表裏両面にある磁気カードを扱う磁気記録媒体読取装置にも適用することができる。
【００６７】
また、前記の実施形態では、磁気記録媒体として磁気カードを例に挙げた。しかしながら、本発明は、磁気カードに限らず、磁気ストライプを有する通帳のような磁気記録媒体を読み取る装置にも適用することができる。
【産業上の利用可能性】
【００６８】
本発明は、ＡＴＭのような自動取引処理装置に搭載されるカードリーダや通帳リーダ、あるいはカード認証端末に搭載されるカードリーダなど、磁気記録媒体を読み取る装置全般に適用することができる。
【符号の説明】
【００６９】
１      カードリーダ
８      磁界発生部
９      磁界制御部
２１    磁気カード
２２    挿入口
３５    ループアンテナ
３６    コア
８１    発振回路
８２    混合器
８４    周波数切替部
９１    コントローラ
９２    フィルタ回路
９３    Ａ／Ｄ変換器
９４    調整回路
２００  上位装置
３００  スキマー
【図１】
2013030877.tif 000003
【図２】
2013030877.tif 000004
【図３】
2013030877.tif 000005
【図４】
2013030877.tif 000006
【図５】
2013030877.tif 000007
【図６】
2013030877.tif 000008
【図７】
2013030877.tif 000009
【図８】
2013030877.tif 000010
【図９】
2013030877.tif 000011
【図１０】
2013030877.tif 000012
【図１１】
2013030877.tif 000013
【図１２】
2013030877.tif 000014
【図１３】
2013030877.tif 000015
【図１４】
2013030877.tif 000016
【図１５】
2013030877.tif 000017
【図１６】
2013030877.tif 000018
【図１７】
2013030877.tif 000019
【国際調査報告】
2013030877.tif 000020
2013030877.tif 000021